(57)【要約】【課題】同一の紙面データに対し、複数の端末が並行してアクセスでき、作業効率を向上させる。【解決手段】互いに排他的に配置された複数の要素データからなる紙面データの作成を支援するための端末３０Ｃであって、同一の紙面データに関し、複数の端末３０Ａ〜３０Ｃからアクセス可能にするように、各端末３０Ａ〜３０Ｃの各レイアウトタスク３１Ａ〜３１Ｃから個別に編集指示を受付けて、各編集指示に基づいて、同一の紙面データを編集する共通の組版サーバ３２Ｃを備えている。【選択図】    図１
2005018648.tif 000002
【特許請求の範囲】
【請求項１】
互いに排他的に配置された複数の要素データからなる紙面データの作成を支援するための紙面作成支援装置であって、
同一の紙面データに関し、複数の端末からアクセス可能にするように、前記各端末から個別に編集指示を受付ける受付手段と、
前記受け付けた編集指示に基づいて、同一の紙面データを編集する共通の編集手段と、
を備えたことを特徴とする紙面作成支援装置。
【請求項２】
請求項１に記載の紙面作成支援装置において、
前記各端末で常に同一の表示状態を維持させるように、前記編集手段により編集された同一の紙面データを前記各端末に提供する同一紙面提供手段、を備えたことを特徴とする紙面作成支援装置。
【請求項３】
請求項１又は請求項２に記載の紙面作成支援装置において、
前記編集手段は、編集指示による編集の結果、各要素データが互いに重なるとき、当該編集を中止し、当該編集指示を出した端末にエラーを通知することを特徴とする紙面作成支援装置。
【請求項４】
請求項１乃至請求項３のいずれか１項に記載の紙面作成支援装置において、
前記各端末のうちのいずれかの端末から要素を指定した要素貸出し要求を受けると、前記指定された要素に関し、当該要素貸出し要求を出した端末による編集指示を有効とする一方、残りの端末による編集指示を無効とする要素貸出し手段、を備えたことを特徴とする紙面作成支援装置。
【発明の詳細な説明】
【０００１】
【発明の属する技術分野】
本発明は、例えば新聞制作に用いられ、記事、写真等の複数の要素からなる紙面データの作成を支援するための紙面作成支援装置に関する。
【０００２】
【従来の技術】
一般に、新聞等に用いられ、記事、写真等の複数の要素からなる紙面データを作成する際には、操作者の紙面作成を支援する端末（以下、紙面作成支援装置ともいう）が用いられている。
【０００３】
紙面作成支援装置は、紙面データが記憶された記憶装置にアクセスし、１台で各要素データの作成、変更、追加、削除、レイアウト等といった編集作業を実行するものである。
【０００４】
このため、紙面（以下、大組ともいう）を分担して作業する場合、紙面作成支援装置は、紙面内の各要素（以下、小組ともいう）毎の作業を各端末に分担させ、分担作業が完了した端末毎に各要素を集めた後に、同一紙面をレイアウトして編集する。
【０００５】
また、紙面を分担せずに作業する場合、紙面作成支援装置が作業中の紙面データは、記憶装置に書き戻された後、他の端末からアクセス可能となる。
【０００６】
なお、この出願に関連する先行技術文献情報としては次のものがある（特許文献１〜４を参照）。特許文献１は、紙面上の各要素の配置が確定した紙面データのみを降版する技術が開示されている（段落［００１６］参照）。特許文献２は、紙面上に配置された各要素に未加工の画像が含まれる場合、未加工の画像であることを認識させる技術が開示されている（段落［０００９］参照）。特許文献３は、使用禁止要素を管理し、オペレータに通知する技術が開示されている（段落［０００８］参照）。特許文献４は、紙面制作過程の進捗状況を把握するための技術が開示されている（段落［０００５］〜［０００６］参照）。
【０００７】
【特許文献１】
特開２００２−３４７２０２号公報
【０００８】
【特許文献２】
特開２００２−３２９２１１号公報
【０００９】
【特許文献３】
特開２００２−８２９４１号公報
【００１０】
【特許文献４】
特開２００１−２８２９８０号公報
【００１１】
【発明が解決しようとする課題】
以上説明したような紙面作成支援装置は、紙面を分担作業する場合、分担作業の完了した各要素を各端末から集めた後に、レイアウト作業を開始する。
一方、特に新聞は、レイアウト作業に使用できる時間が短く、且つレイアウト作業が試行錯誤であることから、可能な限り早くレイアウト作業を開始したい状況にある。このような状況は、特に、記事の内容に応じて複雑なレイアウト作業を行なうスポーツ新聞において顕著である。
【００１２】
しかしながら、このようなレイアウト作業は、レイアウト結果によっては各要素の大きさ（例、記事の字数）を変更するために、その要素を端末に差し戻して大きさを調整し直させる手間がかかるので、作業効率が低いものとなっている。
【００１３】
また、紙面データを１台の紙面作成支援装置で作業する場合であっても、この紙面データを他の端末で作業したい場合、紙面作成支援装置の作業を中断し、紙面データを記憶装置に書き戻させる必要がある。このため、紙面作成支援装置と他の端末とが作業する場合であっても、分担作業にならず、作業効率を低下させている可能性がある。
【００１４】
また、前述した特許文献１〜４に記載の技術はそれぞれ次のような状況にある。特許文献１に記載の技術は、配置が未確定の紙面データを降版するという作業のミスを防止するが、作業効率を向上させるものではない。特許文献２に記載の技術は、未加工画像が配置された紙面データを降版するという作業のミスを防止するが、作業効率を向上させるものではない。特許文献３に記載の技術は、使用禁止要素を使用した紙面データを降版するという作業のミスを防止するが、作業効率を向上させるものではない。特許文献４に記載の技術は、進捗状況を把握するが、作業効率を向上させるものではない。
【００１５】
本発明は上記実情を考慮してなされたもので、同一の紙面データに対し、複数の端末が並行してアクセスでき、作業効率を向上し得る紙面作成支援装置を提供することを目的とする。
【００１６】
【課題を解決するための手段】
第１の発明は、互いに排他的に配置された複数の要素データからなる紙面データの作成を支援するための紙面作成支援装置であって、同一の紙面データに関し、複数の端末からアクセス可能にするように、前記各端末から個別に編集指示を受付ける受付手段と、前記受け付けた編集指示に基づいて、同一の紙面データを編集する共通の編集手段と、を備えた紙面作成支援装置である。
【００１７】
第２の発明は、第１の発明において、前記各端末で常に同一の表示状態を維持させるように、前記編集手段により編集された同一の紙面データを前記各端末に提供する同一紙面提供手段、を備えた紙面作成支援装置である。
【００１８】
第３の発明は、第１又は第２の発明において、前記編集手段としては、編集指示による編集の結果、各要素データが互いに重なるとき、当該編集を中止し、当該編集指示を出した端末にエラーを通知する紙面作成支援装置である。
【００１９】
第４の発明は、第１乃至第３の各発明において、前記各端末のうちのいずれかの端末から要素を指定した要素貸出し要求を受けると、前記指定された要素に関し、当該要素貸出し要求を出した端末による編集指示を有効とする一方、残りの端末による編集指示を無効とする要素貸出し手段、を備えた紙面作成支援装置である。
【００２０】
（作用）
従って、第１の発明は以上のような手段を講じたことにより、共通の編集手段が、各端末からの編集指示に基づいて同一の紙面データを編集するので、同一の紙面データに対し、複数の端末が並行してアクセスでき、作業効率を向上させることができる。
【００２１】
第２の発明は、第１の発明の作用に加え、同一紙面提供手段が、編集手段により編集された同一の紙面データを各端末に提供するので、各端末で常に同一の表示状態を維持させることができる。
【００２２】
第３の発明は、第１又は第２の発明の作用に加え、編集手段が、編集指示による編集の結果、各要素データが互いに重なるとき、当該編集を中止し、当該編集指示を出した端末にエラーを通知するので、複数の要素データの重なりによる不具合を防止することができる。
【００２３】
第４の発明は、第１〜第３の各発明の作用に加え、要素貸出し手段が、各端末のうちのいずれかの端末から要素を指定した要素貸出し要求を受けると、指定された要素に関し、当該要素貸出し要求を出した端末による編集指示を有効とする一方、残りの端末による編集指示を無効とするので、指定した要素を他の端末の操作から保護することができる。
【００２４】
【発明の実施の形態】
以下、本発明の一実施形態について図面を参照しながら説明する。
図１は本発明の一実施形態に係る紙面作成支援装置及びその周辺構成を示す模式図である。図示するように、紙面データ記憶装置１０が管理装置２０及びネットワークＮｗを介して紙面作成支援装置としての複数の端末３０Ａ〜３０Ｃに接続されている。各端末３０Ａ〜３０Ｃは、それぞれレイアウトタスク３１Ａ〜３１Ｃ及び組版サーバ３２Ａ〜３２Ｃを備えている。なお、符号数字の右側に付されたアルファベットＡ，Ｂ，Ｃはそれぞれ各端末Ａ〜Ｃに属する旨を意味している。
【００２５】
紙面データ記憶装置１０は、各端末３０Ａ〜３０Ｃから管理装置２０を介してアクセス可能となっており、複数の要素データからなる複数の紙面データが記憶されている。例えば紙面データＳ２は、図２に示すように、互いに排他的に配置された４つの要素データＥ１〜Ｅ４から構成されている。各要素データＥ１〜Ｅ４は、各々が記事又は写真等に対応するため、任意形状の領域を互いに排他的に占有している。
【００２６】
管理装置２０は、紙面データ記憶装置１０内の同一紙面データに対して１台の端末のみがアクセスするように管理するものであり、例えば、アクセスされた紙面データの識別データと最初にアクセスした端末３０Ｃの識別データ（例、アドレス情報）とを関連付けて記憶テーブル（図示せず）に記憶し、この記憶テーブルに基づいて、紙面データ記憶装置１０への他の端末３０Ｂからのアクセスを排除する。
【００２７】
なお、紙面データ記憶装置１０へのアクセスを排除する方法は、メッセージ等を他の端末３０Ｂに送信することにより、他の端末３０Ｂのアクセス先をレイアウト（編集）作業中の端末３０Ｃに変える方式である。また、以下の説明中、同一の紙面データに対し、始めにアクセスした端末をマスタとも呼び、マスタ端末の作業中にアクセスしてきた端末をスレーブとも呼ぶ。
【００２８】
各端末３０Ａ〜３０Ｃは、マスタ端末又はスレーブ端末のいずれにもなれるように互いに同一構成であるため、ここでは端末３０Ｃを例に挙げて述べる。
【００２９】
端末３０Ｃは、通常のコンピュータ機能を有し、特に、レイアウトタスク３１Ｃ及び組版サーバ３２Ｃを備えている。なお、レイアウトタスク３１Ｃ及び組版サーバ３２Ｃは、ソフトウェア構成及びハードウェア構成の組合せにより実現されており、ソフトウェア構成の部分は予めレイアウトタスク３１Ｃ及び組版サーバ３２Ｃの機能を実現するためのプログラムが端末３０Ｃのコンピュータにインストールされて実現されている。また、端末３０Ｃをマスタ端末にすることが無く、スレーブ端末専用機として動作させたい場合、組版サーバ３２Ｃを省略してもよい。
【００３０】
レイアウトタスク３１Ｃは、自己の端末３０Ｃがマスタ端末又はスレーブ端末の何れでも動作し、操作者の操作により、編集指示又は要素貸出し要求を端末Ａ，Ｂの組版サーバ３２Ａ，３２Ｂのうち、マスタ端末の組版サーバに送信する機能をもっている。
【００３１】
ここで、編集指示とは、各要素データＥ１〜Ｅ４の作成（内容の変更や増減、書体）、追加、削除、配置（位置、傾斜具合）、拡大・縮小などといった任意の指示の総称である。同様に、本実施形態中、「レイアウト」の語はレイアウト（配置）に限らず、「編集」と読み替えてもよい。例えばレイアウトタスクは「編集タスク」と読み替えても良く、後述する「レイアウト…識別データ」は「編集…識別データ」と読み替えてもよい。
【００３２】
組版サーバ３２Ｃは、自己の端末３０Ｃがマスタ端末のときに動作し、以下のような受付機能、共通の編集機能、同一紙面提供機能、及び要素貸出し機能をもっている。
【００３３】
受付機能は、各端末３０Ａ〜３０Ｃの各レイアウトタスク３１Ａ〜３１Ｃから受ける編集指示を受け付ける機能であり、例えば図３及び図４に示す如き、並行大組管理テーブルＴを作成する機能を含んでいる。
【００３４】
並行大組管理テーブルＴは、組版サーバ３２Ｃから読出／書込可能であり、レイアウト対象識別データｄ１、レイアウト要素識別データｄ２、レイアウト端末識別データｄ３、貸出し要素識別データｄ４、貸出先識別データｄ５の各データ項目毎に該当するデータが記憶される。
【００３５】
レイアウト対象識別データｄ１は、レイアウト対象（例、紙面データＳ２）の識別データである。
【００３６】
レイアウト要素識別データｄ２は、各端末３０Ａ〜３０Ｃがレイアウト可能な要素データＥ１〜Ｅ４の識別データである。詳しくは、レイアウト要素識別データｄ２は、全ての要素データＥ１〜Ｅ４から貸し出された要素データＥ３を除いた残りの要素データＥ１，Ｅ２，Ｅ４を示す識別データである。
【００３７】
レイアウト端末識別データｄ３は、編集指示を受付可能な端末３０Ａ〜３０Ｃの識別データＡ〜Ｃであるが、端末３０Ａ〜３０Ｃの識別データＡ〜Ｃに限らず、操作者の識別データであってもよい。
【００３８】
貸出し要素識別データｄ４は、要素貸出し要求が出された例えば要素データＥ１の識別データである。詳しくは、貸出し要素識別データｄ４の示す要素データＥ１と、レイアウト要素識別データｄ２の示す要素データＥ２〜Ｅ４とを合わせると、全ての要素データＥ１〜Ｅ４となる関係がある。
【００３９】
貸出先識別データｄ５は、要素貸出し要求を出した例えば端末３０Ｂの識別データである。
【００４０】
共通の編集機能は、受け付けた編集指示に基づいて、同一の紙面データＳ２を編集する機能である。なお、編集機能は、編集指示による編集の結果、２以上の各要素データＥ１〜Ｅ４が互いに重なるとき、当該編集を中止し、当該編集指示を出した端末にエラーを通知する機能を含んでいる。
【００４１】
同一紙面提供機能は、同一の紙面データＳ２を編集中の各端末３０Ａ〜３０Ｃで常に同一の表示状態を維持させるように、編集機能により編集された同一の紙面データＳ２を各端末３０Ａ〜３０Ｃに提供する機能である。
【００４２】
要素貸出し機能は、任意の端末３０Ａ〜３０Ｃ、例えば端末３０Ｂから要素データＥ３を指定した要素貸出し要求を受けると、当該要素貸出し要求を出した端末３０Ｂによる要素データＥ３への編集指示を有効とする一方、残りの端末３０Ａ，３０Ｃによる要素データＥ３への編集指示を無効とする機能である。なお、任意の端末３０Ａ〜３０Ｃは、自端末３０Ｃ又は他端末３０Ａ，３０Ｂのいずれでもよい。
【００４３】
次に、以上のように構成された紙面作成支援装置の動作を図５のフローチャートを用いて述べる。
【００４４】
いま、紙面データ記憶装置１０内のレイアウト対象は、いずれの端末３０Ａ〜３０Ｃからもアクセスされていない状態にあるとする。
【００４５】
次に、端末３０Ｃにおいては、操作者の操作により、レイアウトタスク３１Ｃが管理装置２０にアクセスする。次に、レイアウトタスク３１Ｃは、操作者の操作により、管理装置２０に対して紙面データ記憶装置１０内のレイアウト対象のうち、例えば紙面データＳ２を選択する（ＳＴ１）。
【００４６】
管理装置２０は、紙面データＳ２の識別データとこの最初にアクセスした端末３０Ｃの識別データ（例、アドレス情報）とを関連付けて記憶テーブル（図示せず）に記憶する。この記憶テーブルは、後で他の端末３０Ａ，３０Ｂがアクセスしてきた場合に参照する。
【００４７】
続いて、管理装置２０は、紙面データＳ２を端末３０Ｃのレイアウトタスク３１Ｃに送信する。これにより、端末３０Ｃはマスタ端末となる。
【００４８】
レイアウトタスク３１Ｃは、紙面データＳ２を受けると、組版サーバ３２Ｃを起動する。組版サーバ３２Ｃは、起動されると、紙面データＳ２に基づいて並行大組管理テーブルＴを作成する（ＳＴ２）。この時点では、並行大組管理テーブルＴは、レイアウト対象識別データｄ１がＳ２であり、レイアウト要素識別データｄ２がＥ１〜Ｅ４（紙面データＳ２の全要素データ）であり、レイアウト端末識別データｄ３が端末３０Ｃである。なお、貸出しに関する識別データｄ４，ｄ５は、空欄である。
【００４９】
しかる後、組版サーバ３２Ｃは、並行大組管理テーブルＴに登録された権限に基づき、レイアウト作業を実行する（ＳＴ３）。
【００５０】
具体的には、組版サーバ３２Ｃは、操作者の操作により、レイアウトタスク３１Ｃから編集指示が入力されると、図６に示すように、この編集指示に基づいて紙面データＳ２を画面３３Ｃに表示して編集する。なお、組版サーバ３２Ｃは、レイアウト作業の実行中、後述するステップＳＴ４，ＳＴ７，ＳＴ８のように、分担宣言又は要素貸出し要求を受信したか否かの監視と、作業終了か否かの監視とを継続している。
【００５１】
次に、マスタ端末３０Ｃにて編集中の紙面データＳ２に対し、他の端末３０Ａ，３０Ｂからアクセスする場合の動作を端末３０Ｂを例に挙げて述べる。
【００５２】
端末３０Ｂにおいては、操作者の操作により、レイアウトタスク３１Ｂが管理装置２０にアクセスする。次に、レイアウトタスク３１Ｂは、操作者の操作により、管理装置２０を介して紙面データ記憶装置１０内のレイアウト対象を示す版面一覧を読み込んで端末３０Ｂの画面３３Ｂに表示させる。しかる後、レイアウトタスク３１Ｂは、操作者の操作により、管理装置２０に対し、例えば２面に対応する紙面データＳ２を選択する（図７）。
【００５３】
管理装置２０は、選択された紙面データＳ２の識別データに基づいて、前述した記憶テーブルを参照し、紙面データＳ２が既に端末３０Ｃに提供済みであることから、メッセージＭを端末３０Ｂのレイアウトタスク３１Ｂに送信する。なお、メッセージＭは、マスタ端末３０Ｃのアドレス情報（画面表示せず）と共に送信される（図８）。
【００５４】
レイアウトタスク３１Ｂは、メッセージＭを受けると、操作者の操作により、ＯＫボタンｉ１又はキャンセルボタンｉ２のいずれかがクリックされるまで待機する。なお、キャンセルボタンｉ２がクリックされると、レイアウトタスク３１Ｂの処理が終了となるので、ここでは、ＯＫボタンｉ１がクリックされた場合を述べる。
【００５５】
レイアウトタスク３１Ｂは、ＯＫボタンｉ１のクリック操作により、レイアウト作業の分担宣言データをマスタ端末３０Ｃに送信する。
【００５６】
マスタ端末３０Ｃでは、組版サーバ３２Ｃが分担宣言データを受信したか否かを監視しており（ＳＴ４）、受信した分担宣言データに基づいて、並行大組管理テーブルＴを更新する（ＳＴ５）。具体的には、組版サーバ３２Ｃは、並行大組管理テーブルＴのレイアウト端末識別データｄ３に、端末３０Ｂの識別データを追加登録する。これにより、端末３０Ｂは、スレーブ端末となる。
【００５７】
以下、マスタ端末３０Ｃは、スレーブ端末３０Ｂを紙面データＳ２のレイアウト作業に参加させ、並行大組作業を実行することができる（図９）。スレーブ端末３０Ｂにおいては、操作者の操作により、レイアウトタスク３１Ｂが編集指示をマスタ端末３０Ｃに送信する。
【００５８】
マスタ端末３０Ｃにおいては、スレーブ端末３０Ｂから受信した編集指示や、自己のレイアウトタスク３１Ｃから入力された編集指示に基づいて、組版サーバ３２Ｃが紙面データＳ２を編集する。
【００５９】
すなわち、複数のレイアウトタスク３１Ｂ，３１Ｃから入力される編集指示により１台の組版サーバ３２Ｃが紙面データＳ２を編集するので、紙面データＳ２に矛盾の無い並行大組作業を実現できる。
【００６０】
なお、並行大組は、２台の端末３０Ｂ，３０Ｃに限らず、図９に破線で示すように、端末３０Ａも端末３０Ｂと同様にして、紙面データＳ２のレイアウト作業に参加することができる。また、図示しないが、並行大組は４台以上の任意の複数台の端末でも実行することができる。
【００６１】
組版サーバ３２Ｃは、同一の紙面データＳ２を編集中の各端末３０Ａ〜３０Ｃで常に同一の表示状態を維持させるように、逐次、編集された同一の紙面データＳ２を各端末３０Ａ〜３０Ｃに提供する。
【００６２】
組版サーバ３２Ｃは、編集指示による編集の結果、２以上の各要素データＥ１〜Ｅ４が互いに重なるとき、当該編集を中止し、当該編集指示を出した端末にエラーを通知する。
【００６３】
次に、以上のように各端末３０Ｃ，３０Ｂにて並行作業中の紙面データＳ２に対し、組版サーバ３２Ｃが要素データの貸出し要求を受けた場合の動作を説明する。
【００６４】
組版サーバ３２Ｃは、要素データの貸出し要求を受信したか否かを監視しており（ＳＴ６）、例えば要素データＥ３を対象とした要素貸出し要求を受信すると、この要素貸出し要求に基づいて、並行大組管理テーブルＴを更新する（ＳＴ７）。具体的には図４に示したように、組版サーバ３２Ｃは、並行大組管理テーブルＴのレイアウト要素識別データｄ２の要素データＥ３を貸出し要素識別データｄ４に移動させ、貸出先識別データにスレーブ端末３０Ｂの識別データを追加登録する。これにより、スレーブ端末３０Ｂは、要素データＥ３のレイアウト作業を占有することができる（図１０）。
【００６５】
ここで、レイアウト作業の占有は、例えば以下の（ａ）〜（ｃ）のように実行される。
【００６６】
（ａ）スレーブ端末３０Ｂにおいては、操作者の操作により、レイアウトタスク３１Ｂが要素データＥ３の編集指示をマスタ端末３０Ｃに送信する。
【００６７】
（ｂ）マスタ端末３０Ｃにおいては、スレーブ端末３０Ｂからの編集指示に基づいて、組版サーバ３２Ｃが並行大組管理テーブルＴを参照し、貸出し関係を示す識別データｄ４，ｄ５にスレーブ端末３０Ｂと要素データＥ３とがあるため、要素データＥ３への編集指示を有効として組版サーバ３２Ｃにより要素データＥ３を編集する。
【００６８】
（ｃ）一方、組版サーバ３２Ｃは、要素データＥ３の編集指示が自端末３０Ｃのレイアウトタスク３１Ｃから入力された場合、並行大組管理テーブルＴを参照するが、貸出先識別データｄ５に端末３０Ｃが無いので、要素データＥ３への編集指示を無効として要素データＥ３を編集しない。この場合、組版サーバ３２Ｃは、要素データＥ３が貸出中である旨を端末３０Ｃの画面３３Ｃに表示させてもよい。また、組版サーバ３２Ｃは、貸出し中の要素データＥ３に対し、更に要素貸出し要求を受けても、貸出しを実行しない。以上がレイアウト作業の占有の説明である。
【００６９】
以下、組版サーバ３２Ｃは、レイアウト作業の実行中、逐次、レイアウト作業の終了か否かを監視し（ＳＴ８）、終了でない限り、ステップＳＴ３に戻ってステップＳＴ３〜ＳＴ８の処理を継続する。
【００７０】
上述したように本実施形態によれば、組版サーバ３２Ｃが、共通の編集機能により、各端末３０Ｂ，３０Ｃからの編集指示に基づいて同一の紙面データＳ２を編集するので、同一の紙面データＳ２に対し、複数の端末３０Ｂ，３０Ｃが並行してアクセスでき、作業効率を向上させることができる。
【００７１】
例えば要素データの作成とレイアウト作業とを並行して実行できることにより、従来とは異なり、端末への要素データの差し戻しが無いため、作業効率を向上できる。また、例えば紙面作成支援装置と他の端末とが並行して作業できることにより、従来とは異なり、紙面作成支援装置の作業の中断や記憶装置への要素データの書き戻しが無いため、作業効率を向上できる。
【００７２】
大組（紙面）レイアウトを複数端末で行なう並行作業を実現できるため、例えば紙面データＳ２が見開きページのように多大な情報を必要とする場合でも、紙面を効率良く作業することができる。
【００７３】
組版サーバ３２Ｃは、編集した同一の紙面データＳ２を各端末３０Ｂ，３０Ｃに提供するので、各端末３０Ｂ，３０Ｃで常に同一の表示状態を維持させることができる。すなわち、複数端末３０Ｂ，３０Ｃで、常に同一な紙面状態を共有するためにリアルタイム表示を実現することができる。
【００７４】
組版サーバ３２Ｃは、編集指示による編集の結果、２個以上の各要素データＥ１〜Ｅ４が互いに重なるとき、当該編集を中止し、当該編集指示を出した端末にエラーを通知するので、複数の要素データの重なりによる不具合を防止することができる。すなわち、複数端末３０Ｂ，３０Ｃから同一の紙面データＳ２にアクセスしてもデータ破壊を防ぐことができる。
【００７５】
組版サーバ３２Ｃは、各端末３０Ｂ，３０Ｃのうちのいずれかの端末３０Ｂから要素データＥ３を指定した要素貸出し要求を受けると、指定された要素データＥ３に関し、当該要素貸出し要求を出した端末３０Ｂによる編集指示を有効とする一方、残りの端末３０Ｃによる編集指示を無効とするので、指定した要素データＥ３を他の端末３０Ｃの操作から保護することができる。
【００７６】
複数の端末３０Ｂ，３０Ｃで紙面データＳ２を作成中であっても、他の端末から保護したい要素データＥ３については要素貸出し機能にてロックし、要素データＥ３を他の端末３０Ｃからアクセスできない状態とする。すなわち、並行大組中であっても、他の端末３０Ｃからは触らせたくない要素データＥ３を保護することができる。
【００７７】
なお、上記各実施形態に記載した手法は、コンピュータに実行させることのできるプログラムとして、磁気ディスクなどの記憶媒体に格納して頒布することもできる。
【００７８】
また、コンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００７９】
本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【００８０】
【発明の効果】
以上説明したように本発明によれば、同一の紙面データに対し、複数の端末が並行してアクセスでき、作業効率を向上させることができる。
【図面の簡単な説明】
【図１】本発明の一実施形態に係る紙面作成支援装置及びその周辺構成を示す模式図である。
【図２】同実施形態における紙面データを説明するための模式図である。
【図３】同実施形態における並行大組管理テーブルを説明するための模式図である。
【図４】同実施形態における並行大組管理テーブルを説明するための模式図である。
【図５】同実施形態における動作を説明するためのフローチャートである。
【図６】同実施形態における編集の画面を示す模式図である。
【図７】同実施形態における版面一覧の画面を示す模式図である。
【図８】同実施形態におけるメッセージを示す模式図である。
【図９】同実施形態における並行大組作業を説明するための模式図である。
【図１０】同実施形態における要素データの貸出しを説明するための模式図である。
【符号の説明】
１０…紙面データ記憶装置、２０…管理装置、Ｎｗ…ネットワーク、３０Ａ〜３０Ｃ…端末、３１Ａ〜３１Ｃ…レイアウトタスク、３２Ａ〜３２Ｃ…組版サーバ、３３Ａ〜３３Ｃ…画面、Ｔ…並行大組管理テーブル、ｄ１〜ｄ５…識別データ、Ｓ２…紙面データ、Ｅ１〜Ｅ４…要素データ、Ｍ…メッセージ、ｉ１，ｉ２…ボタン。
【図１】
2005018648.tif 000003
【図２】
2005018648.tif 000004
【図３】
2005018648.tif 000005
【図４】
2005018648.tif 000006
【図５】
2005018648.tif 000007
【図６】
2005018648.tif 000008
【図７】
2005018648.tif 000009
【図８】
2005018648.tif 000010
【図９】
2005018648.tif 000011
【図１０】
2005018648.tif 000012